【手続補正書】
【提出日】令和3年7月28日(2021.7.28)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ機器(UE)によって、基地局との通信のための第1のスロット用の第1のスロットフォーマット構成を識別するステップと、
前記第1のスロット用の第2のスロットフォーマット構成の指示を前記基地局から受信するステップと、
前記第1および第2のスロットフォーマット構成に少なくとも部分的に基づいて、前記第1のスロット用のスロットフォーマットを判定するステップと、
前記判定されたスロットフォーマットに従って、前記第1のスロットのシンボルのセット上で前記基地局と通信するステップと
を含み、前記方法が、
アンカースロットのセットを指示するアンカー構成をネットワークノードから受信するステップであって、前記第1のスロット用の前記判定されたスロットフォーマットが、前記アンカー構成に少なくとも部分的に基づいて判定され、アンカースロットが、1つまたは複数の第2のスロットフォーマット構成の対応するリソースによってオーバーライドまたは置換されない、前記第1のスロットフォーマット構成によって定義されるスロットを指示する、ステップ
をさらに含む、方法。
【請求項２】
前記第1のスロットフォーマット構成が、半静的スロット構成であり、
前記第2のスロットフォーマット構成が、動的スロット構成であり、
前記スロットフォーマットを判定するステップが、
前記半静的スロット構成および前記動的スロット構成に少なくとも部分的に基づいて、前記シンボルのセットの各々についてのシンボルタイプを識別するステップ
を含む、請求項1に記載の方法。
【請求項３】
前記シンボルのセットの各々についての前記シンボルタイプを識別するステップが、
前記半静的スロット構成によって指示されるフレキシブルシンボルを前記動的スロット構成によって指示されるそれぞれのシンボルについてのシンボルタイプに置換するステップと、
前記半静的スロット構成によって指示されるシンボルタイプに、前記置換されたフレキシブルシンボル以外のシンボルを維持するステップと
を含み、または
前記シンボルのセットの各々についての前記シンボルタイプを識別するステップが、
前記半静的スロット構成によって指示されるすべてのシンボルを前記動的スロット構成によって指示されるそれぞれのシンボルについてのシンボルタイプに置換するステップ
を含む、請求項2に記載の方法。
【請求項４】
前記第1のスロットフォーマット構成を識別するステップが、
前記第1のスロットについて、ダウンリンクシンボルのセット、アップリンクシンボルのセット、予約済みシンボルのセット、およびフレキシブルシンボルのセットを指示する半静的スロット構成を前記基地局から受信するステップ
を含み、
前記半静的スロット構成が、無線リソース制御(RRC)メッセージもしくはブロードキャストメッセージを介して受信され、および／または
前記半静的スロット構成が、前記シンボルのセットについての1つまたは複数のシンボルタイプのセットを指示し、前記1つまたは複数のシンボルタイプのセットの各々が、異なる周波数範囲に対応する、請求項1に記載の方法。
【請求項５】
前記第1のスロットが、アンカースロットに対応し、
前記第1のスロット用の前記スロットフォーマットを判定するステップが、前記第1のスロットフォーマット構成のみに基づいて、前記第1のスロットのシンボルについてのシンボルタイプを判定するステップを含む、請求項1に記載の方法。
【請求項６】
前記第1のスロットがアンカースロットから非アンカースロットに変換されることになるという指示を受信するステップであって、前記非アンカースロットとして、前記第1のスロットのシンボルタイプが、前記第2のスロットフォーマット構成に少なくとも部分的に基づいて判定される、ステップ、または
前記第1のスロットがアンカースロットから非アンカースロットに変換されることになるという指示を受信するステップであって、前記非アンカースロットとして、前記第1のスロットのシンボルタイプが、前記第2のスロットフォーマット構成に少なくとも部分的に基づいて判定され、前記指示が、ダウンリンク制御情報(DCI)もしくは媒体アクセス制御(MAC)制御要素(MAC-CE)を介して受信される、ステップ
をさらに含む、請求項1に記載の方法。
【請求項７】
ワイヤレス通信のための方法であって、
基地局によって、ユーザ機器(UE)との通信のための第1のスロット用の第1のスロットフォーマット構成を送信するステップと、
前記第1のスロット用の第2のスロットフォーマット構成の指示を前記UEに送信するステップと、
前記第1および第2のスロットフォーマット構成に少なくとも部分的に基づいて、スロットフォーマットに従って、前記第1のスロットのシンボルのセット上で前記UEと通信するステップと
を含み、前記方法が、
前記基地局によって、アンカースロットのセットを指示するアンカー構成を送信するステップであって、前記第1のスロット用の前記スロットフォーマットが、前記アンカー構成に少なくとも部分的に基づき、アンカースロットが、1つまたは複数の第2のスロットフォーマット構成の対応するリソースによってオーバーライドまたは置換されない、前記第1のスロットフォーマット構成によって定義されるスロットを指示する、ステップ
をさらに含む、方法。
【請求項８】
前記第1のスロットフォーマット構成が、半静的スロット構成であり、
前記第2のスロットフォーマット構成が、動的スロット構成であり、
前記方法が、
前記半静的スロット構成および前記動的スロット構成に少なくとも部分的に基づいて、前記シンボルのセットの各々についてのシンボルタイプを識別するステップ
をさらに含む、請求項7に記載の方法。
【請求項９】
前記第1のスロットフォーマット構成を送信するステップが、
前記第1のスロットについて、ダウンリンクシンボルのセット、アップリンクシンボルのセット、予約済みシンボルのセット、およびフレキシブルシンボルのセットを指示する半静的スロット構成を送信するステップ
を含み、
前記半静的スロット構成が、無線リソース制御(RRC)メッセージもしくはブロードキャストメッセージを介して送信され、および／または
前記半静的スロット構成が、前記シンボルのセットについての1つまたは複数のシンボルタイプのセットを指示し、前記1つまたは複数のシンボルタイプのセットの各々が、異なる周波数範囲に対応する、請求項7に記載の方法。
【請求項１０】
前記第2のスロットフォーマット構成の前記指示を送信するステップが、
前記第1のスロットについて、ダウンリンクシンボルのセット、アップリンクシンボルのセット、予約済みシンボルのセット、およびブランクシンボルのセットを指示する動的スロット構成を送信するステップ
を含み、
前記動的スロット構成が、共通物理ダウンリンク制御チャネル(PDCCH)を介して送信され、または
前記動的スロット構成が、共通PDCCHを介して送信され、前記共通PDCCHがUEのグループに対応する、請求項7に記載の方法。
【請求項１１】
前記第1のスロットが、アンカースロットに対応し、
前記第1のスロット用の前記スロットフォーマットが、前記第1のスロットフォーマット構成によって指示されるような前記シンボルのセットについてのシンボルタイプのみに基づく、請求項7に記載の方法。
【請求項１２】
前記第1のスロットが、ソフトアンカースロットに対応し、
前記第1のスロット用の前記スロットフォーマットが、前記第2のスロットフォーマット構成によって指示されるような前記シンボルのセットについてのシンボルタイプのみに基づく、請求項7に記載の方法。
【請求項１３】
ワイヤレス通信のための装置であって、
ユーザ機器(UE)によって、基地局との通信のための第1のスロット用の第1のスロットフォーマット構成を識別するための手段と、
前記第1のスロット用の第2のスロットフォーマット構成の指示を前記基地局から受信するための手段と、
前記第1および第2のスロットフォーマット構成に少なくとも部分的に基づいて、前記第1のスロット用のスロットフォーマットを判定するための手段と、
前記判定されたスロットフォーマットに従って、前記第1のスロットのシンボルのセット上で前記基地局と通信するための手段と
を含み、前記装置が、
アンカースロットのセットを指示するアンカー構成をネットワークノードから受信するための手段であって、前記第1のスロット用のスロットフォーマットを判定するための手段が、前記アンカー構成に少なくとも部分的に基づき、アンカースロットが、1つまたは複数の第2のスロットフォーマット構成の対応するリソースによってオーバーライドまたは置換されない、前記第1のスロットフォーマット構成によって定義されるスロットを指示する、手段
をさらに含む、装置。
【請求項１４】
ワイヤレス通信のための装置であって、
基地局によって、ユーザ機器(UE)との通信のための第1のスロット用の第1のスロットフォーマット構成を送信するための手段と、
前記第1のスロット用の第2のスロットフォーマット構成の指示を前記UEに送信するための手段と、
前記第1および第2のスロットフォーマット構成に少なくとも部分的に基づいて、スロットフォーマットに従って、前記第1のスロットのシンボルのセット上で前記UEと通信するための手段と
を含み、前記装置が、
前記基地局によって、アンカースロットのセットを指示するアンカー構成を送信するための手段であって、前記第1のスロット用の前記スロットフォーマットが、前記アンカー構成に少なくとも部分的に基づき、アンカースロットが、1つまたは複数の第2のスロットフォーマット構成の対応するリソースによってオーバーライドまたは置換されない、前記第1のスロットフォーマット構成によって定義されるスロットを指示する、手段
をさらに含む、装置。
【請求項１５】
実行可能な命令を含むコンピュータプログラムであって、前記実行可能な命令は、実行されたとき、少なくとも1つのコンピュータに請求項1から6のいずれか一項または請求項7から12のいずれか一項に記載の方法を行わせる、コンピュータプログラム。